【手続補正書】
【提出日】平成25年3月11日(2013.3.11)
【手続補正１】
【補正対象書類名】特許請求の範囲
【補正対象項目名】全文
【補正方法】変更
【補正の内容】
【特許請求の範囲】
【請求項１】
移動体フォンのディスプレイにユーザー体験を与えるように構成されたアプリケーションを実行するステップと、
前記ユーザー体験のクロームレス表示のために前記アプリケーションを構成するため、アプリケーション・プログラミング・インターフェース（ＡＰＩ）を発生させて機能を前記アプリケーションに露出させるように構成されたユーザー・インターフェースを実装するステップと、
を含み、
前記メニュー・システムが、前記アプリケーションに利用可能なメニュー・ベース・ユーザー入力に応答して、前記ユーザー体験の上に表示されるように構成され、
前記メニュー・システムが、前記メニュー・ベース・ユーザー入力を受け入れるために選択されるように構成された少なくとも１つのメニュー項目を含み、
前記メニュー・システムが、更に、前記メニュー項目の選択に応答して表示されるように動作可能なサブメニューを含み、このサブメニューが、前記ディスプレイ上において前記メニュー項目が表示されたポイントに表示されるように構成された衛星と、この衛星を中心に配置された複数のサブメニュー項目とを含む、方法。
【請求項２】
請求項１記載の方法において、前記メニュー・システムが、最上位メニューを含み、前記少なくとも１つのメニュー項目が、主メニュー項目と副メニュー項目とを含む、方法。
【請求項３】
請求項２記載の方法であって、更に、前記最上位メニューを動画化するステップを含む、方法。
【請求項４】
請求項１記載の方法において、前記サブメニューが、隠されるように構成され、前記メニュー項目が、前記衛星の選択に応答して再度表示される、方法。
【請求項５】
請求項１記載の方法において、前記ユーザー・インターフェースが、更に、前記移動体デバイスの動作可能性に影響を及ぼす通信関連情報またはデバイス・ステータス情報のうち少なくとも１つを含む通知に応答して、前記ユーザー体験の上に表示されるように構成されたシステム・トレイを含む、方法。
【請求項６】
請求項５記載の方法において、前記ユーザー・インターフェースが、更に、前記ユーザー体験の上に重畳されたオーバーレイにおいて、前記移動体デバイスにおいて実行中の１つ以上の非アクティブなタスクに対応する指標を表示するように構成されたタスク・スイッチャーを含み、このタスク・スイッチャーが、前記指標の選択に応答して、前記１つ以上の非アクティブなタスクのうち１つに切り替わるように構成された、方法。
【請求項７】
移動体デバイスであって、
ディスプレイと、
ユーザー・インターフェースを提供するため少なくとも部分的にハードウェアで実装された１つ以上のモジュールであって、前記ユーザー・インターフェースが、ユーザー体験のクロームレス表示のためにアプリケーションを構成するため、アプリケーション・プログラミング・インターフェース（ＡＰＩ）を発生させて機能を前記アプリケーションに露出させるように構成された、１つ以上のモジュールと、
を含み、
前記メニュー・システムが、前記アプリケーションに利用可能なメニュー・ベース・ユーザー入力に応答して、前記ユーザー体験の上に表示されるように構成され、
前記メニュー・システムが、前記メニュー・ベース・ユーザー入力を受け入れるために選択されるように構成された少なくとも１つのメニュー項目を含み、
前記メニュー・システムが、前記メニュー項目の選択に応答して表示されるように動作可能なサブメニューを含み、このサブメニューが、前記ディスプレイ上において前記メニュー項目が表示されたポイントに表示されるように構成された衛星と、この衛星を中心に配置された複数のサブメニュー項目とを含む、移動体デバイス。
【請求項８】
請求項７記載の移動体デバイスにおいて、前記メニュー・システムが、最上位メニューを含み、前記少なくとも１つのメニュー項目が、主メニュー項目と副メニュー項目とを含む、移動体デバイス。
【請求項９】
請求項８記載の移動体デバイスであって、更に、前記最上位メニューを動画化するステップを含む、移動体デバイス。
【請求項１０】
請求項７記載の移動体デバイスにおいて、前記サブメニューが、隠されるように構成され、前記メニュー項目が、前記衛星の選択に応答して再度表示される、移動体デバイス。
【請求項１１】
請求項７記載の移動体デバイスにおいて、前記ユーザー・インターフェースが、更に、前記移動体デバイスの動作可能性に影響を及ぼす通信関連情報またはデバイス・ステータス情報のうち少なくとも１つを含む通知に応答して、前記ユーザー体験の上に表示されるように構成されたシステム・トレイを含む、移動体デバイス。
【請求項１２】
請求項１１記載の移動体デバイスにおいて、前記ユーザー・インターフェースが、更に、前記ユーザー体験の上に重畳されたオーバーレイにおいて、前記移動体デバイスにおいて実行中の１つ以上の非アクティブなタスクに対応する指標を表示するように構成されたタスク・スイッチャーを含み、このタスク・スイッチャーが、前記指標の選択に応答して、前記１つ以上の非アクティブなタスクのうち１つに切り替わるように構成された、移動体デバイス。
【請求項１３】
命令を格納した１つ以上のコンピュータ読み取り可能記憶媒体であって、前記命令は、デバイスによる実行に応答して前記デバイスに、
ユーザー体験のクロームレス表示のためにアプリケーションを構成するため、アプリケーション・プログラミング・インターフェース（ＡＰＩ）を発生させて機能を前記アプリケーションに露出させるように構成されたユーザー・インターフェースを生成させ、
前記メニュー・システムが、前記アプリケーションに利用可能なメニュー・ベース・ユーザー入力に応答して、前記ユーザー体験の上に表示されるように構成され、
前記メニュー・システムが、前記メニュー・ベース・ユーザー入力を受け入れるために選択されるように構成された少なくとも１つのメニュー項目を含み、
前記メニュー・システムが、前記メニュー項目の選択に応答して表示されるように動作可能なサブメニューを含み、このサブメニューが、前記ディスプレイ上において前記メニュー項目が表示されたポイントに表示されるように構成された衛星と、この衛星を中心に配置された複数のサブメニュー項目とを含む、１つ以上のコンピュータ読み取り可能記憶媒体。
【請求項１４】
請求項１３記載の１つ以上のコンピュータ読み取り可能記憶媒体において、前記メニュー・システムが、最上位メニューを含み、前記少なくとも１つのメニュー項目が、主メニュー項目と副メニュー項目とを含む、１つ以上のコンピュータ読み取り可能記憶媒体。
【請求項１５】
請求項１４記載の１つ以上のコンピュータ読み取り可能記憶媒体であって、更に、前記最上位メニューを動画化することを含む、１つ以上のコンピュータ読み取り可能記憶媒体。
【請求項１６】
請求項１３記載の１つ以上のコンピュータ読み取り可能記憶媒体において、前記サブメニューが、隠されるように構成され、前記メニュー項目が、前記衛星の選択に応答して再度表示される、１つ以上のコンピュータ読み取り可能記憶媒体。
【請求項１７】
請求項１３記載の１つ以上のコンピュータ読み取り可能記憶媒体において、前記ユーザー・インターフェースが、更に、前記移動体デバイスの動作可能性に影響を及ぼす通信関連情報またはデバイス・ステータス情報のうち少なくとも１つを含む通知に応答して、前記ユーザー体験の上に表示されるように構成されたシステム・トレイを含む、１つ以上のコンピュータ読み取り可能記憶媒体。
【請求項１８】
請求項１７記載の１つ以上のコンピュータ読み取り可能記憶媒体において、前記ユーザー・インターフェースが、更に、前記ユーザー体験の上に重畳されたオーバーレイにおいて、前記移動体デバイスにおいて実行中の１つ以上の非アクティブなタスクに対応する指標を表示するように構成されたタスク・スイッチャーを含み、このタスク・スイッチャーが、前記指標の選択に応答して、前記１つ以上の非アクティブなタスクのうち１つに切り替わるように構成された、１つ以上のコンピュータ読み取り可能記憶媒体。